(57)【要約】【課題】プロセス均一性を判定する方法およびシステムを提供すること。【解決手段】この方法に、複数のサンプル領域を選択することが含まれる。複数のサンプル領域に、複数の処理されるフィーチャが含まれ、複数のサンプル領域のそれぞれに、複数の処理されたフィーチャの少なくとも１つが含まれる。複数の処理されたフィーチャのそれぞれは、少なくとも１つの製造プロセスから生じる。さらに、この方法に、それぞれ複数のサンプル領域に関連する複数の電子顕微鏡画像を得ることと、複数の電子顕微鏡画像に関連する情報を処理することと、複数のサンプル領域の第１の複数のグレイスケール値を判定することが含まれる。さらに、この方法に、第１の複数のグレイスケール値に関連する情報を処理することと、少なくとも１つの製造プロセスが均一であるかどうかを判定することが含まれる。【選択図】図１
2005150727.tif 000002
【特許請求の範囲】
【請求項１】
複数のサンプル領域が複数の処理されたフィーチャを含み、前記複数のサンプル領域のそれぞれが前記複数の処理されたフィーチャの少なくとも１つを含み、前記複数の処理されたフィーチャのそれぞれが少なくとも１つの製造プロセスから生じる、複数のサンプル領域を選択するステップと、
それぞれ前記複数のサンプル領域に関連する複数の電子顕微鏡画像を得るステップと、
前記複数の電子顕微鏡画像に関連する情報を処理するステップと、
前記複数の電子顕微鏡画像に関連する情報に少なくとも基づいてそれぞれ前記複数のサンプル領域の第１複数のグレイスケール値を判定するステップであって、前記第１複数のグレイスケール値のそれぞれが、前記複数の処理されたフィーチャの前記少なくとも１つに関連する、判定するステップと、
前記第１複数のグレイスケール値に関連する情報を処理するステップと、
前記第１複数のグレイスケール値に関連する情報に少なくとも基づいて前記少なくとも１つの製造プロセスが均一であるかどうかを判定するステップと
を含むプロセス均一性を判定する方法。
【請求項２】
前記複数の電子顕微鏡画像に関連する情報を処理する前記ステップが、
前記複数の電子顕微鏡画像に関連する情報に少なくとも基づいて、それぞれ前記複数のサンプル領域の複数の背景グレイスケール値を判定するステップと、
前記複数の電子顕微鏡画像に関連する情報に少なくとも基づいて、それぞれ前記複数のサンプル領域の第２複数のグレイスケール値を判定するステップであって、前記第２複数のグレイスケール値のそれぞれが、前記複数の処理されたフィーチャの前記少なくとも１つに関連する、判定するステップと
を含む、請求項１に記載の方法。
【請求項３】
第１複数のグレイスケール値を判定する前記ステップが、それぞれ前記第２複数のグレイスケール値と前記複数の背景グレイスケール値との間の複数の差を判定するステップを含む請求項２に記載の方法。
【請求項４】
前記第２複数のグレイスケール値に関連する情報に少なくとも基づいて等高線図を生成するステップをさらに含む請求項２に記載の方法。
【請求項５】
前記複数の背景グレイスケール値に関連する情報に少なくとも基づいて等高線図を生成するステップをさらに含む請求項２に記載の方法。
【請求項６】
前記複数のサンプル領域のそれぞれが複数の別々のサブ領域を含む請求項１に記載の方法。
【請求項７】
前記複数のサンプル領域が、ウェハ上に配置され、前記ウェハが、複数のダイを含み、前記複数のダイのそれぞれが、前記複数のサンプル領域の少なくとも１つを含む請求項１に記載の方法。
【請求項８】
前記複数のサンプル領域が、複数のウェハ上に配置され、前記複数のウェハのそれぞれが、前記複数のサンプル領域の少なくとも１つを含む請求項１に記載の方法。
【請求項９】
前記複数のサンプル領域の少なくともいくつかが１つのダイ上に配置される請求項１に記載の方法。
【請求項１０】
複数の電子顕微鏡画像を得るステップが、副電子顕微鏡を使用するステップを含む請求項１に記載の方法。
【請求項１１】
前記副電子顕微鏡が、デフェクト・インスぺクションＳＥＭ、デフェクト・レビューＳＥＭ、ＣＤ−ＳＥＭからなる群から選択される請求項１０に記載の方法。
【請求項１２】
前記複数の処理されたフィーチャが誘電層の一部のエッチングングから生じる複数のバイアを含み、前記誘電層が第１導電層の第１表面にある請求項１に記載の方法。
【請求項１３】
前記少なくとも１つの製造プロセスが均一であるかどうかの前記判定が、前記複数のバイアの前記エッチングングが均一であるかどうかの判定を含む請求項１２に記載の方法。
【請求項１４】
前記複数のバイアが第２導電層によって充てんされない請求項１２に記載の方法。
【請求項１５】
前記少なくとも１つの製造プロセスが均一であるかどうかの前記判定が、前記複数のバイアがエッチングングの同一の深さに関連するかどうかを判定するステップを含む請求項１４に記載の方法。
【請求項１６】
前記複数のバイアが、第２導電層によって充てんされ、
前記第２導電層が、化学機械研磨プロセスによって平坦化される
請求項１２に記載の方法。
【請求項１７】
前記第２導電層が、銅およびタングステンからなる群から選択された少なくとも１つを含む請求項１６に記載の方法。
【請求項１８】
前記複数の処理されたフィーチャが、導電層の堆積とエッチングングから生じる複数のトランジスタ・ゲートを含む請求項１に記載の方法。
【請求項１９】
前記導電層がポリシリコンを含む請求項１８に記載の方法。
【請求項２０】
前記複数の処理されたフィーチャが複数のトランジスタ接合を含む請求項１に記載の方法。
【請求項２１】
前記複数の処理されたフィーチャが複数のセルフアライン・コンタクトを含む請求項１に記載の方法。
【請求項２２】
前記第１複数のグレイスケール値に関連する情報の前記処理が、前記第１複数のグレイスケール値に関連する情報に少なくとも基づいて等高線図を生成するステップを含む請求項１に記載の方法。
【請求項２３】
前記等高線図が、複数の位置に対応する第３複数のグレイスケール値に関連する情報を含み、
前記第３複数のグレイスケール値が前記第１複数のグレイスケール値を含み、
前記複数の位置が前記複数のサンプル領域を含む
請求項２２に記載の方法。
【請求項２４】
等高線図を生成する前記ステップが、前記第１複数のグレイスケール値に関連する情報に少なくとも基づいて前記第３複数のグレイスケール値の少なくともいくつかを判定するステップを含む請求項２３に記載の方法。
【請求項２５】
前記第３複数のグレイスケール値の少なくともいくつかの前記判定するステップが、前記第１複数のグレイスケール値の少なくともいくつかを補間するステップを含む請求項２４に記載の方法。
【請求項２６】
前記少なくとも１つの製造プロセスが均一であるかどうかの前記判定するステップが、
前記第１複数のグレイスケール値に関連する情報に少なくとも基づいて標準偏差と平均値を判定するステップと、
前記平均値に対する前記標準偏差の間の比を判定するステップと
を含む請求項１に記載の方法。
【請求項２７】
前記少なくとも１つの製造プロセスが均一であるかどうかの前記判定するステップが、さらに、
前記比と所定の値に関連する情報を処理するステップと、
前記比が前記所定の値以下である場合に、前記少なくとも１つの製造プロセスが均一であると判定するステップと、
前記比が前記所定の値を超える場合に、前記少なくとも１つの製造プロセスが均一でないと判定するステップと
を含む請求項２６に記載の方法。
【請求項２８】
前記少なくとも１つの製造プロセスが均一であるかどうかに応答して１つまたは複数のプロセス・パラメータを調整するステップをさらに含み、前記１つまたは複数のプロセス・パラメータが、前記少なくとも１つの製造プロセスに関連する請求項１に記載の方法。
【請求項２９】
前記複数の処理されたフィーチャの１つまたは複数の特性に関連する複数の特性値を用いて前記第１複数のグレイスケール値のそれぞれを較正するステップをさらに含む請求項１に記載の方法。
【請求項３０】
前記第１複数のグレイスケール値のそれぞれの前記較正が、前記第１複数のグレイスケール値と前記複数の特性値との間の複数の対応関係を判定するステップを含む請求項２９に記載の方法。
【請求項３１】
複数のサンプル領域の前記選択するステップが、ウェハから前記複数のサンプル領域を選択するステップを含み、前記複数のサンプル領域の総面積が、前記ウェハの総面積にある比をかけたものと等しい請求項１に記載の方法。
【請求項３２】
前記比が、０．０００１％から１００％までの範囲である請求項３１に記載の方法。
【請求項３３】
プロセスの均一性を判定する処理であって、
複数のサンプル領域が複数の処理されたフィーチャを含み、前記複数のサンプル領域のそれぞれが前記複数の処理されたフィーチャの少なくとも１つを含み、前記複数の処理されたフィーチャのそれぞれが、少なくとも１つの製造プロセスから生じる、複数のサンプル領域を選択するステップと、
それぞれ前記複数のサンプル領域に関連する複数の電子顕微鏡画像を得るステップと、
前記複数の電子顕微鏡画像に関連する情報を処理するステップと、
前記複数の電子顕微鏡画像に関連する情報に少なくとも基づいてそれぞれ前記複数のサンプル領域の第１複数のグレイスケール値を判定するステップであって、前記第１複数のグレイスケール値のそれぞれが、前記複数の処理されたフィーチャの前記少なくとも１つに関連する、判定するステップと、
前記第１複数のグレイスケール値に関連する情報に少なくとも基づいて第１等高線図を生成するステップと、
前記第１等高線図に関連する情報を処理するステップと、
前記第１等高線図に関連する情報に少なくとも基づいて前記少なくとも１つの製造プロセスが均一であるかどうかを判定するステップと
を含む処理。
【請求項３４】
プロセス均一性を判定するシステムであって、
それぞれ複数のサンプル領域に関連する複数の電子顕微鏡画像を得るように構成された電子顕微鏡システムであって、前記複数のサンプル領域が、複数の処理されたフィーチャを含み、前記複数のサンプル領域のそれぞれが、前記複数の処理されたフィーチャの少なくとも１つを含み、前記複数の処理されたフィーチャのそれぞれが、少なくとも１つの製造プロセスから生じる、電子顕微鏡システムと、
処理システムと
を含み、前記処理システムが、
前記複数の電子顕微鏡画像に関連する情報を処理し、
前記複数の電子顕微鏡画像に関連する情報に少なくとも基づいてそれぞれ前記複数のサンプル領域の第１複数のグレイスケール値を判定し、前記第１複数のグレイスケール値のそれぞれが、前記複数の処理されたフィーチャの前記少なくとも１つに関連し、
前記第１複数のグレイスケール値に関連する情報を処理し、
前記第１複数のグレイスケール値に関連する情報に少なくとも基づいて前記少なくとも１つの製造プロセスが均一であるかどうかを判定する
ように構成される、システム。
【請求項３５】
前記複数の電子顕微鏡画像に関連する情報の前記処理が、
前記複数の電子顕微鏡画像に関連する情報に少なくとも基づいて、それぞれ前記複数のサンプル領域の複数の背景グレイスケール値を判定し、
前記複数の電子顕微鏡画像に関連する情報に少なくとも基づいて、それぞれ前記複数のサンプル領域の第２複数のグレイスケール値を判定することであって、前記第２複数のグレイスケール値のそれぞれが、前記複数の処理されたフィーチャの前記少なくとも１つに関連する、判定すること
を含む請求項３４に記載のシステム。
【請求項３６】
第１複数のグレイスケール値を判定することが、それぞれ前記第２複数のグレイスケール値と前記複数の背景グレイスケール値との間の複数の差を判定することを含む請求項３５に記載のシステム。
【請求項３７】
前記処理システムが、さらに、前記第２複数のグレイスケール値に関連する情報に少なくとも基づいて等高線図を生成するように構成される請求項３５に記載のシステム。
【請求項３８】
前記処理システムが、さらに、前記複数の背景グレイスケール値に関連する情報に少なくとも基づいて等高線図を生成するように構成される請求項３５に記載のシステム。
【請求項３９】
前記複数のサンプル領域のそれぞれが複数の別々のサブ領域を含む請求項３４に記載のシステム。
【請求項４０】
前記複数のサンプル領域がウェハ上に配置され、前記ウェハが複数のダイを含み、前記複数のダイのそれぞれが、前記複数のサンプル領域の少なくとも１つを含む請求項３４に記載のシステム。
【請求項４１】
前記複数のサンプル領域が複数のウェハ上に配置され、前記複数のウェハのそれぞれが前記複数のサンプル領域の少なくとも１つを含む請求項３４に記載のシステム。
【請求項４２】
前記複数のサンプル領域の少なくともいくつかが１つのダイ上に配置される請求項３４に記載のシステム。
【請求項４３】
前記電子顕微鏡システムが副電子顕微鏡を含む請求項３４に記載のシステム。
【請求項４４】
前記副電子顕微鏡が、デフェクト・インスぺクションＳＥＭ、デフェクト・レビューＳＥＭ、ＣＤ−ＳＥＭからなる群から選択される請求項４３に記載のシステム。
【請求項４５】
前記複数の処理されたフィーチャが誘電層の一部のエッチングングから生じる複数のバイアを含み、前記誘電層が第１導電層の第１表面にある請求項３４に記載のシステム。
【請求項４６】
前記少なくとも１つの製造プロセスが均一であるかどうかを判定することが、前記複数のバイアの前記エッチングングが均一であるかどうかの判定を含む請求項４５に記載のシステム。
【請求項４７】
前記複数のバイアが第２導電層によって充てんされない請求項４５に記載のシステム。
【請求項４８】
前記少なくとも１つの製造プロセスが均一であるかどうかを判定することが、前記複数のバイアが同一の深さに関連するかどうかを判定することを含む請求項４７に記載のシステム。
【請求項４９】
前記複数のバイアが第２導電層によって充てんされ、
前記第２導電層が化学機械研磨プロセスによって平坦化される
請求項４５に記載のシステム。
【請求項５０】
前記第２導電層が、銅およびタングステンからなる群から選択された少なくとも１つを含む請求項４９に記載のシステム。
【請求項５１】
前記複数の処理されたフィーチャが、導電層の堆積とエッチングングから生じる複数のトランジスタ・ゲートを含む請求項３４に記載のシステム。
【請求項５２】
前記導電層がポリシリコンを含む請求項５１に記載のシステム。
【請求項５３】
前記複数の処理されたフィーチャが複数のトランジスタ接合を含む請求項３４に記載のシステム。
【請求項５４】
前記複数の処理されたフィーチャが複数のセルフアライン・コンタクトを含む請求項３４に記載のシステム。
【請求項５５】
前記第１複数のグレイスケール値に関連する情報を処理することが、前記第１複数のグレイスケール値に関連する情報に少なくとも基づいて等高線図を生成することを含む請求項３４に記載のシステム。
【請求項５６】
前記等高線図が、複数の位置に対応する第３複数のグレイスケール値に関連する情報を含み、
前記第３複数のグレイスケール値が前記第１複数のグレイスケール値を含み、
前記複数の位置が前記複数のサンプル領域を含む
請求項５５に記載のシステム。
【請求項５７】
等高線図を生成することが、前記第１複数のグレイスケール値に関連する情報に少なくとも基づいて前記第３複数のグレイスケール値の少なくともいくつかを判定することを含む請求項５６に記載のシステム。
【請求項５８】
前記第３複数のグレイスケール値の少なくともいくつかを記判定することが、前記第１複数のグレイスケール値の少なくともいくつかを補間することを含む請求項５７に記載のシステム。
【請求項５９】
前記少なくとも１つの製造プロセスが均一であるかどうかを判定することが、
前記第１複数のグレイスケール値に関連する情報に少なくとも基づいて標準偏差と平均値を判定し、
前記平均値に対する前記標準偏差の間の比を判定することを含む請求項３４に記載のシステム。
【請求項６０】
前記少なくとも１つの製造プロセスが均一であるかどうかを判定することが、さらに、
前記比および所定の値に関連する情報を処理することと、
前記比が前記所定の値以下である場合に、前記少なくとも１つの製造プロセスが均一であると判定し、
前記比が前記所定の値を超える場合に、前記少なくとも１つの製造プロセスが均一でないと判定することを含む請求項５９に記載のシステム。
【請求項６１】
前記処理システムが、さらに、前記少なくとも１つの製造プロセスが均一であるかどうかに応答して１つまたは複数のプロセス・パラメータを調整するように構成され、前記１つまたは複数のプロセス・パラメータが、前記少なくとも１つの製造プロセスに関連する請求項３４に記載のシステム。
【請求項６２】
前記処理システムが、さらに、前記複数の処理されたフィーチャの１つまたは複数の特性に関連する複数の特性値を用いて前記第１複数のグレイスケール値のそれぞれを較正するように構成される請求項３４に記載のシステム。
【請求項６３】
前記第１複数のグレイスケール値のそれぞれの前記較正が、前記第１複数のグレイスケール値と前記複数の特性値との間の複数の対応関係を判定することを含む請求項６２に記載のシステム。
【請求項６４】
前記複数のサンプル領域がウェハから選択され、前記複数のサンプル領域の総面積が前記ウェハの総面積にある比をかけたものと等しい請求項３４に記載のシステム。
【請求項６５】
前記比が０．０００１％から１００％までの範囲である請求項６４に記載のシステム。
【請求項６６】
プロセス均一性を判定するシステムであって、
それぞれ複数のサンプル領域に関連する複数の電子顕微鏡画像を得るように構成された電子顕微鏡システムであって、前記複数のサンプル領域が複数の処理されたフィーチャを含み、前記複数のサンプル領域のそれぞれが前記複数の処理されたフィーチャの少なくとも１つを含み、前記複数の処理されたフィーチャのそれぞれが少なくとも１つの製造プロセスから生じる、電子顕微鏡システムと、
処理システムと
を含み、前記処理システムが、
前記複数の電子顕微鏡画像に関連する情報を処理し、
前記複数の電子顕微鏡画像に関連する情報に少なくとも基づいてそれぞれ前記複数のサンプル領域の第１複数のグレイスケール値を判定し、前記第１複数のグレイスケール値のそれぞれが、前記複数の処理されたフィーチャの前記少なくとも１つに関連し、
前記第１複数のグレイスケール値に関連する情報に少なくとも基づいて第１等高線図を生成し、
前記第１等高線図に関連する情報を処理し、
前記第１等高線図に関連する情報に少なくとも基づいて前記少なくとも１つの製造プロセスが均一であるかどうかを判定する
ように構成される、システム。
【発明の詳細な説明】
【技術分野】
【０００１】
本発明は、集積回路（ＩＣ）製造を対象とする。具体的には、本発明は、ＩＣプロセス均一性を検査する方法およびシステムに関する。単に例として、本発明は、インライン・モニタリング（ｉｎｌｉｎｅ  ｍｏｎｉｔｏｒｉｎｇ）に適用されている。しかし、本発明がはるかに広い範囲の適用可能性を有することを理解されたい。
【背景技術】
【０００２】
関連出願の相互参照
本願は、参照によってその全体を本明細書に組み込まれる、２００３年１１月１０日出願の米国特許仮出願第６０／５１８８６５号に対する優先権を主張するものである。
【０００３】
連邦政府による資金提供を受けた研究開発の記載
不適用。
【０００４】
コンパクト・ディスクで提出される「シーケンスリスト」、テーブル、またはコンピュータ・プログラム・リスティング付録の参照
不適用。
【０００５】
集積回路（ＩＣ）プロセスは、フィーチャ寸法の縮小が続いているので、ますます難しくなっている。寸法の縮小とウェハ・サイズの増大によって、ウェハ全体でのプロセス均一性の維持が重要であるが、達成が困難になる。プロセス・ウィンドウ(process window)が高度なウェハ製造で急激に狭まりつつあり、プロセス変動が、最新テクノロジのより高い平均販売価格の経済的圧力に起因してプロセスを完全にするのに不適切な時間が費やされる時に発生する可能性がある。
【０００６】
プロセス変動は異なる形で現れることがある。ウェハ全体にまたがる空間変動は、機器またはプロセスの外乱または制限から生じる。これらの変動は、さらに、ダイ内のパターン加工の差によって増幅される可能性がある。あるプロセスの後、他のプロセスが開始される前に行われるインライン・モニタリング、処理の進行中のインシトゥー・オペレーション(in-situ operation)、オフライン・オペレーションなど、プロセス制御を達成するためにウェハ特性を測定する複数の方法がある。プロセスのインライン制御を維持するために、異なるロットおよび／またはウェハの間およびウェハ内ならびにダイ内の時間的変動を理解する必要がある。ダイ内のどこを検査するか、ウェハ内のどのダイを検査するかの判断は、しばしば、注意深い計画と詳細な注意を必要とする判断である。測定が少なすぎることは不適切であろうが、測定が多すぎると、データが衝突し、処理が無用に長くなる可能性がある。テスト構造を、スクライブ・ライン(scribe line)上におくことがあるが、このテスト構造は、検査に適したフィーチャに関して判断する方法を提供する。
【０００７】
いくつかの普通の検査プロトコルでは、プロセス・ツール資格付与と実用的な問題がないことの保証に、裸ウェハ分析が用いられる。これは、しばしば、まずプロセス・ツールが正しく動作しており、歩留まりを低下させる粒子(yield-killing particle)の源として働かないことを保証するのに必要である。通常、これに、処理されパターンを作成されたウェハの光学的検査が続き、これに電子ビーム検査が続く。ウェハレベル変動は、しばしば、機器設計および／または動作限界によって引き起こされる低い空間周波数傾向のフィーチャを有する。
【０００８】
たとえば、絶縁膜エッチングは、デュアル・ダマシーン処理とサブトラクティブ・エッチング処理の一体化された部分である単位操作である。高度な半導体製造テクノロジと共に、デュアル・ダマシーンのコンタクト・ホールおよび／またはバイア・ホールなどの高アスペクト比構造のエッチング・プロセスが、その小さいクリティカル寸法に起因して、ますます困難になってきた。一般的な問題に、開いていないコンタクト・ホールおよび／またはバイア・ホールと、ウェハ全体に渡る不均一なエッチングングが含まれる。たとえば、コンタクト・エッチング・プロセスの欠陥は、集積回路を動作不能にする可能性があり、したがって、よい歩留まりを保証するために、エッチング・プロセス・パラメータを制御し、監視し、最適化する必要がある。もう１つの例として、バイアに、狭トレンチ分離に使用されるものなどのトレンチが含まれる。
【０００９】
電子ビーム検査が広く使用されるようになる前には、従来のＣＤ−ＳＥＭ技法が、穴頂部対穴底部のクリティカル寸法を提供していたが、この測定値は、しばしば、コンタクト・ホールの電気的特性に関するものを何も示さなかった。正常な状態とエッチングング不足の状態を区別できても、その区別は、しばしば、間接的に行われ、信頼性に疑問があった。もう１つの例として、計算処理能力と結合された走査型電子顕微鏡（ＳＥＭ）に基づくある欠陥検査ツールが、開いていないコンタクト・ホールおよび／またはバイア・ホールなどの欠陥を検出するのに使用された。しかし、このツールの制限は、欠陥のあるコンタクト・ホールおよび／またはバイア・ホールの検出を助けることができるが、エッチングング変動またはウェハ全体の均一性に関する情報をまったく提供できないことである。もう１つの例として、ＥＢ−Ｓｃｏｐｅ技術で、類似する原理が使用される。ＥＢ−ｓｃｏｐｅ技術では、電子ビームによって誘導された基板電流が、コンタクト・ホールまたはバイア・ホールの底部の残渣厚さの推定に使用される。しかし、ＥＢ−ｓｃｏｐｅ技術は、低速であり、長所に起因して人気が高まっているシリコン・オン・インシュレータ（ＳＯＩ）などの修正された基板で問題を有する。
【００１０】
エッチング均一性監視に関して見られる同一の問題が、しばしば、ＩＣ製造中の他の単位操作の後のウェハに存在する。もう１つの例が、化学機械研磨（ＣＭＰ）である。実際に、狭いプロセス・ウィンドウおよび大きいウェハ・サイズが、エッチング、堆積、ＣＭＰ、電気化学めっき法（ＥＣＰ）などの多数の集積回路製造プロセスでプロセス変動を生じさせた。
【特許文献１】米国特許仮出願第６０／５１８８６５号
【特許文献２】米国特許第６３９２２３１号
【特許文献３】米国特許第６６０５８０５号
【特許文献４】米国特許第６７１０３４２号
【発明の開示】
【発明が解決しようとする課題】
【００１１】
したがって、ＩＣプロセス均一性を監視する技法を改善することが非常に望ましい。
【課題を解決するための手段】
【００１２】
本発明は、集積回路（ＩＣ）製造を対象とする。具体的に言うと、本発明は、ＩＣプロセス均一性を検査する方法とシステムを提供する。単に例として、本発明は、インライン・モニタリングに適用されている。しかし、本発明がはるかに広い範囲の適用可能性を有することを理解されたい。
【００１３】
本発明の一実施態様によれば、プロセス均一性を判定する方法は、複数のサンプル領域を選択することを含む。複数のサンプル領域に、複数の処理されたフィーチャが含まれ、複数のサンプル領域のそれぞれに、複数の処理されたフィーチャの少なくとも１つが含まれる。複数の処理されたフィーチャのそれぞれは、少なくとも１つの製造プロセスから生じる。さらに、この方法に、それぞれ複数のサンプル領域に関連する複数の電子顕微鏡画像を得ることと、複数の電子顕微鏡画像に関連する情報を処理することと、それぞれ、複数の電子顕微鏡画像に関連する情報に少なくとも基づいて、複数のサンプル領域の第１の複数のグレイスケール値を判定することが含まれる。第１の複数のグレイスケール値のそれぞれは、複数の処理されたフィーチャの少なくとも１つに関連する。さらに、この方法には、第１の複数のグレイスケール値に関連する情報を処理することと、第１の複数のグレイスケール値に関連する情報に少なくとも基づいて、少なくとも１つの製造プロセスが均一であるかどうかを判定することが含まれる。
【００１４】
もう１つの実施態様によれば、プロセス均一性を判定する方法も、複数のサンプル領域を選択することを含む。複数のサンプル領域に、複数の処理されたフィーチャが含まれ、複数のサンプル領域のそれぞれに、複数の処理されたフィーチャの少なくとも１つが含まれる。複数の処理されたフィーチャのそれぞれは、少なくとも１つの製造プロセスから生じる。さらに、この方法に、それぞれ複数のサンプル領域に関連する複数の電子顕微鏡画像を得ることと、複数の電子顕微鏡画像に関連する情報を処理することと、複数の電子顕微鏡画像に関連する情報に少なくとも基づいて、複数のサンプル領域の第１の複数のグレイスケール値をそれぞれ判定することが含まれる。第１の複数のグレイスケール値のそれぞれが、複数の処理されたフィーチャの少なくとも１つに関連する。さらに、この方法に、第１の複数のグレイスケール値に関連する情報に少なくとも基づいて第１等高線図を生成することと、第１等高線図に関連する情報を処理することと、第１等高線図に関連する情報に少なくとも基づいて少なくとも１つの製造プロセスが均一であるかどうかを判定することが含まれる。
【００１５】
もう１つの実施態様によれば、プロセス均一性を判定するシステムに、複数のサンプル領域にそれぞれ関連する複数の電子顕微鏡画像を得るように構成された電子顕微鏡システムが含まれる。複数のサンプル領域に、複数の処理されたフィーチャが含まれ、複数のサンプル領域のそれぞれに、複数の処理されたフィーチャの少なくとも１つが含まれる。複数の処理されたフィーチャのそれぞれが、少なくとも１つの製造プロセスから生じる。さらに、このシステムには処理システムが含まれる。この処理システムは、複数の電子顕微鏡画像に関連する情報を処理し、複数の電子顕微鏡画像に関連する情報に少なくとも基づいて、複数のサンプル領域のそれぞれの第１の複数のグレイスケール値を判定するように構成される。第１の複数のグレイスケール値のそれぞれは、複数の処理されたフィーチャの少なくとも１つに関連する。さらに、この処理システムは、さらに、第１の複数のグレイスケールに関連する情報を処理し、第１の複数のグレイスケール値に関連する情報に少なくとも基づいて少なくとも１つの製造プロセスが均一であるかどうかを判定するように構成される。
【００１６】
もう１つの実施態様によれば、プロセス均一性を判定するシステムに、それぞれ複数のサンプル領域に関連する複数の電子顕微鏡画像を得るように構成された電子顕微鏡システムが含まれる。複数のサンプル領域に、複数の処理されたフィーチャが含まれ、複数のサンプル領域のそれぞれに、複数の処理されたフィーチャの少なくとも１つが含まれる。複数の処理されたフィーチャのそれぞれが、少なくとも１つの製造プロセスから生じる。さらに、このシステムには、処理システムが含まれ、この処理システムは、複数の電子顕微鏡画像に関連する情報を処理し、複数の電子顕微鏡画像に関連する情報に少なくとも基づいて、複数のサンプル領域の第１の複数のグレイスケール値をそれぞれ判定するように構成される。第１の複数のグレイスケール値のそれぞれが、複数の処理されたフィーチャの少なくとも１つに関連する。さらに、この処理システムは、さらに、第１の複数のグレイスケール値に関連する情報に少なくとも基づいて第１等高線図を生成し、第１等高線図に関連する情報を処理し、第１等高線図に関連する情報に少なくとも基づいて少なくとも１つの製造プロセスが均一であるかどうかを判定するように構成される。
【００１７】
本発明によって、従来の技法に対する様々な利益が達成される。たとえば、本発明のある実施態様は、ダイ内、ウェハ内、ロット内のウェハ間、および／またはロット間の特定のプロセスの均一性または変動などの処理条件を正確に監視し、視覚化する半導体ウェハ測定検査技法を提供する。本発明のある実施態様は、背景の平均グレイスケール値、処理されたフィーチャの平均グレイスケール値、調整されたグレイスケール値を表す等高線図を提供する。これらの２次元等高線図は、ウェハ全体および／またはウェハ間の総合的なプロセス条件の信頼性のあるインジケータとして働く。本発明のある実施態様は、処理されたフィーチャや背景に関するサンプル領域画像と、グレイスケール値を使用するすばやい視覚的表現とを提供する。たとえば、視覚的表現が、等高線プロットの形をとり、ウェハ・レベル変動を明瞭に示す。本発明のある実施態様は、ダイ内のサンプル領域を使用して、ダイ内のプロセス均一性を判定し、あるいは、ウェハ内の指定されたサンプル領域を使用して、ウェハ内のプロセス均一性を判定する。本発明のある実施態様では、プロセス・エンジニアが、統計的に量的な測定値によってサポートされる、ウェハ全体のプロセス性能のすばやい概要を得ることができる。たとえば、処理するのに非常に大量であり、その意味を理解することが困難になるほどの大量のデータが電子ビーム検査によって生成されることがある。簡潔な形でのデータのすばやい視覚化と比較分析によって、適切なプロセス訂正をタイムリーな形で行えるようになる。もう１つの例として、測定中に明らかになる可能性がある、ある手がかりに基づいて、高コストの暴走が発生する前に、できる限り早くプロセス機器寿命の問題と限度を識別することが重要である。本発明のある実施態様は、欠陥のシグネチャ・マップを提供するためにウェハ表面積の分数が検査される、ウェハ表面のサンプリングを可能にする方法を提供する。
【００１８】
本発明のある実施態様は、プロセス均一性のインライン検査を提供し、特定のプロセス・ステップまたは単位プロセス操作への問題の便利な分離を可能にする。本発明のある実施態様は、２００ｍｍウェハのダイの数の２．５倍を有する３００ｍｍウェハの効率的な検査方法を提供する。本発明のある実施態様は、銅ＣＭＰの完了後のウェハ内変動を検出する方法を提供する。たとえば、ウェハのある領域でのＣＭＰの後に残される残渣がある場合がある。もう１つの例として、コンタクト・ホールまたはバイア・ホールの充てんプロセスが、不正に実行され、その結果、表面または内部のボイド形成が存在する可能性がある。ボイド形成は、たとえば、可能な原因に関して、ＣＭＰパッドの加齢から、研磨中に行われる動きに関する問題から、または不適切な終点検出アルゴリズムの使用から生ずる可能性がある。本発明のある実施態様は、スループット、サンプリング・カバレッジ、解像度の間の望ましいバランスを提供する。たとえば、カバレッジは、ダイ全体の面積に対する１つのダイ内でサンプリングされる面積の比率に伴って増加する。しかし、高解像度での高い比率のサンプリングは、所与の時間期間中に検査されるウェハの数によって測定されるものなどのスループットを低下させる可能性がある。本発明のある実施態様は、３００ｍｍウェハでの０．１３μｍ以下の設計ノードの０．１μｍ未満の画素サイズでの効率的なサンプリング技法を提供する。
【発明を実施するための最良の形態】
【００１９】
本発明の様々な追加の目的、フィーチャ、および長所は、添付図面および以下の詳細な説明を参照することから完全に理解することができる。
【００２０】
本発明は、集積回路（ＩＣ）製造を対象とする。具体的に言うと、本発明は、ＩＣプロセス均一性を検査する方法とシステムに関する。単に例として、本発明は、インライン・モニタリングに適用されている。しかし、本発明がはるかに広い範囲の適用可能性を有することを理解されたい。
【００２１】
図１は、本発明の実施形態による、ＩＣプロセス均一性を監視する単純化された方法である。この図は、単に例であり、請求の範囲を不正に制限するものではない。当業者は、多数の変形形態、代替形態、修正形態を理解するであろう。方法１００に、サンプル領域を選択する処理１１０、サンプル領域の画像を得る処理１２０、背景グレイスケール値を判定する処理１３０、処理されたフィーチャのグレイスケール値を判定する処理１４０、プロセス均一性を判定する処理１５０、プロセス・パラメータを調整する処理１６０が含まれる。上では、方法１００の処理の選択されたグループを使用して示したが、多数の代替形態、修正形態、変形形態がありえる。たとえば、この処理の一部を、展開し、かつ／または組み合わせることができる。他の処理を上で示した処理に挿入することができる。実施形態に応じて、処理のシーケンスを交換し、他の処理を置換することができる。もう１つの例として、方法１００に関して参照された処理されたフィーチャを、均一性判定の対象になるフィーチャとすることができる。処理されたフィーチャは、処理されたが重要でないフィーチャを含まない。これらの処理のさらなる詳細は以下に記載されている。
【００２２】
処理１１０で、あるサンプル領域を選択する。異なるサンプル領域は、同一ダイ内、同一ウェハ上の異なるダイ内および／または異なるウェハ上に配置されたものとすることができる。一実施形態で、サンプル領域に、プロセス機器が正常に動作している時よりも高い割合で、プロセスによって誘導された欠陥が頻繁に見つかる区域が含まれる。もう１つの実施形態で、サンプル領域選択は、堅牢でない仮の設計、指定されたテスト構造、または高い割合の障害に関連付けられた区域の諸位置に基づいて行われる。もう１つの実施形態では、各サンプル領域が、連続的であるか、複数の別々のサブ領域を含む。たとえば、各サブ領域に、重要な１つまたは複数の処理されたフィーチャが含まれる。もう１つの例として、各サンプル領域に、重要な１つまたは複数の処理されたフィーチャが含まれる。
【００２３】
図２は、本発明の実施形態による、選択されたサンプル領域を示す単純化された図である。この図は、単に例であり、請求の範囲を不正に制限するものではない。当業者は、多数の変形形態、代替形態、修正形態を理解するであろう。図２からわかるように、ウェハ２００上のダイ２１０内で、１つまたは複数の特定の領域が、１つのサンプル領域２１２として選択されている。同様に、サンプル領域が、ウェハ２００上の他のダイについても選択されている。たとえば、サンプル領域は、対応するダイに関して同一位置を有する。もう１つの例として、同一のおよび／または類似するフィーチャが、異なるサンプル領域に含まれ、これらのフィーチャが、プロセス均一性に関する検査の対象である。もう１つの例として、サンプル領域は、レシピ(recipe)ファイルを作成するユーザによって決められ、このレシピ・ファイルで、サイトの位置が決められる。レシピ作成処理中に、ウェハ・マップとアライメントが決められる。
【００２４】
処理１２０で、サンプル領域の画像を、操作型電子顕微鏡（ＳＥＭ）を用いて得る。たとえば、半導体デバイス検査用のＳＥＭが、選択されたランディング・エネルギー(landing energy)と高解像度で使用される。ＳＥＭには、ウェハに電子ビームを照射する電子銃、電子の偏向を制御できるようにする偏向器、ウェハが置かれるステージ、イメージング用の検出器が含まれる。もう１つの例として、米国特許第６３９２２３１号、米国特許第６６０５８０５号、米国特許第６７１０３４２号に記載のＳＥＭを、画像取込に使用することができる。米国特許第６３９２２３１号、米国特許第６６０５８０５号、米国特許第６７１０３４２号は、その全体を参照によって本明細書に組み込まれる。もう１つの例として、ランディング・エネルギー、画素サイズ、使用されるビーム電流、ＳＥＭ画像について選択される平均化のすべてが、スループットを改善するために最適化される。
【００２５】
一実施形態で、ＳＥＭは、図２に示されたサンプル領域の一部またはすべてを走査し、ＳＥＭ画像の一部またはすべてが保管される。もう１つの実施形態では、画像の視野は、変更することができるが、すべての画像について同一または比較が行われる画像の組について同一にされる。もう１つの実施形態で、パターン認識や自動化分類さらにはアライメントに基づいて、イメージング用のサンプル領域を自動的に識別する様々な技法が使用される。
【００２６】
図３は、本発明の実施形態による、ＳＥＭ画像の単純化された図である。この図は、単に例であり、請求の範囲を不正に制限するものではない。当業者は、多数の変形形態、代替形態、修正形態を理解するであろう。図３からわかるように、様々なダイのサンプル領域のＳＥＭ画像が、ソフトウェアによって、対応するダイに貼り付けられている。たとえば、サンプル領域２１２の画像が、ダイ２１０内に置かれている。これらの貼り付けられた画像は、ウェハ全体に渡ってダイからダイへの画像変動を絵図的に示すものである。もう１つの例では、各サンプル領域に、複数のサブ領域が含まれ、サブ領域ごとに画像が取り込まれる。同一のサンプル領域に対応するこれらの画像の１つまたは複数が、サンプル領域に関連するダイに貼り付けられる。もう１つの例では、様々なダイの処理されたフィーチャの波形表現が、対応するダイに貼り付けられる。波形表現は、問題のフィーチャの近くの位置に対する信号波形を示す。もう１つの例で、ダイ内、ウェハ内のダイの間および／またはウェハ間でプロセス均一性を視覚化するのに別の方法が使用される。
【００２７】
処理１３０で、背景グレイスケール値を判定する。一実施形態で、各測定されたＳＥＭ画像が、２つの測定可能なグレイスケール値を表示し、このグレイスケール値の一方は、処理されたフィーチャに関し、他方は、背景に関する。たとえば、処理されたフィーチャに、コンタクト・ホールおよび／またはバイア・ホールが含まれ、背景に、重要なフィーチャがないがそれを囲む領域が含まれる。もう１つの実施形態で、各測定されたＳＥＭ画像の背景の平均グレイ・スケール数が計算される。図４は、本発明の実施形態による、背景グレイスケール値を示す単純化された図である。この図は、単に例であり、請求の範囲を不正に制限するものではない。当業者は、多数の変形形態、代替形態、修正形態を理解するであろう。図４からわかるように、サンプル領域２１２は、１２９の背景グレイスケール値を有し、サンプル領域２２２は、１３０の背景グレイスケール値を有する。サンプル領域の外の領域について、その背景グレイスケール値は、サンプル領域の背景グレイスケール値を補間することによって判定される。補間は、線形または非線形とすることができ、複数のサンプル領域の背景グレイスケール値を考慮に入れることができる。図４からわかるように、補間によって、ウェハ２００の背景グレイスケール値を示す２次元ウェハ・マップが生成される。もう１つの例で、背景グレイスケール値が色で表される。異なる色が、グレイスケール値の異なる範囲に対応する。図４（ａ）は、本発明のもう１つの実施形態による、背景グレイスケール値を示す単純化されたカラーの図である。この図は、単に例であり、請求の範囲を不正に制限するものではない。当業者は、多数の変形形態、代替形態、修正形態を理解するであろう。現在の特許庁のシステムではカラーの図面を提供できないのでモノクロの図であるが、参考資料としてカラー図を添付する。
【００２８】
処理１４０で、処理されたフィーチャのグレイスケール値を判定する。一実施形態で、各測定されたＳＥＭ画像が、２つの測定可能なグレイスケール値を示し、このグレイスケール値の一方は、処理されたフィーチャに関し、他方は、背景に関する。たとえば、処理されたフィーチャに、コンタクト・ホールおよび／またはバイア・ホールが含まれ、背景に、重要なフィーチャがない領域が含まれる。もう１つの実施形態で、各測定されたＳＥＭ画像の処理されたフィーチャの平均グレイ・スケール数が、計算される。図５は、本発明の実施形態による、処理されたフィーチャのグレイスケール値を示す単純化された図である。この図は、単に例であり、請求の範囲を不正に制限するものではない。当業者は、多数の変形形態、代替形態、修正形態を理解するであろう。図５からわかるように、サンプル領域２１２は、７６のグレイスケール値を有し、サンプル領域２２２は、７４のグレイスケール値を有する。サンプル領域の外の領域について、そのグレイスケール値は、サンプル領域のグレイスケール値からの補間によって判定される。補間は、線形または非線形とすることができ、複数のサンプル領域のグレイスケール値を考慮に入れることができる。図５からわかるように、補間によって、ウェハ２００の処理されたフィーチャのグレイスケール値を示す２次元ウェハ・マップが生成される。このグレイスケール・マップによって、ウェハ上の異なるサンプル領域内の重要なフィーチャの間の差が示される。もう１つの例で、処理されたフィーチャのグレイスケール値が、色で表される。異なる色が、グレイスケール値の異なる範囲に対応する。図５（ａ）は、本発明の実施形態による、処理されたフィーチャのグレイスケール値を示す単純化されたカラーの図である。この図は、単に例であり、請求の範囲を不正に制限するものではない。当業者は、多数の変形形態、代替形態、修正形態を理解するであろう。
【００２９】
処理１５０で、プロセス均一性を、処理されたフィーチャの調整されたグレイスケール値に基づいて判定する。一実施形態で、調整されたグレイスケール値は、背景のグレイスケール値と処理されたフィーチャのグレイスケール値の間の差と等しい。例として、調整されたグレイスケール値が、コンピュータ内で計算され、保管される。調整されたグレイスケール値の変動が、プロセス変動を表す。たとえば、２つの異なるダイ内および／または同一のダイ内の処理されたフィーチャを比較することができる。一実施形態で、比較されるフィーチャが、名目上同等または質的に匹敵する。
【００３０】
もう１つの実施形態で、背景のグレイスケール値の平均値と標準偏差、処理されたフィーチャのグレイスケール値の平均値と標準偏差、調整されたグレイスケール値の平均値と標準偏差の計算に基づく統計的プロセス均一性を計算することによって、画像データが要約される。一実施形態で、プロセス均一性が、平均値に対する標準偏差の比によって測定され、パーセンテージとして表される。たとえば、標準偏差と平均値が、調整されたグレイ・スケール値に基づいて計算される。比が所定の値以下である場合に、処理されたフィーチャに関連する製造プロセスは均一である。比が所定の値を超える場合には、処理されたフィーチャに関連する製造プロセスは、不均一とみなされる。
【００３１】
図６は、本発明の実施形態による、処理されたフィーチャの調整されたグレイスケール値を示す単純化された図である。この図は、単に例であり、請求の範囲を不正に制限するものではない。当業者は、多数の変形形態、代替形態、修正形態を理解するであろう。図６からわかるように、サンプル領域２１２は、５３の調整されたグレイスケール値を有し、サンプル領域２２２は、５６の調整されたグレイスケール値を有する。サンプル領域の外の領域について、調整されたグレイスケール値は、図４に示された背景の対応するグレイスケール値および図５に示された処理されたフィーチャの対応するグレイスケール値から判定される。図６からわかるように、結果の調整されたグレイスケール値は、ウェハ２００の２次元等高線図を用いて視覚化することができる。もう１つの例で、調整されたグレイスケール値が、色で表される。異なる色が、調整されたグレイスケール値の異なる範囲に対応する。図６（ａ）は、本発明のもう１つの実施形態による、処理されたフィーチャの調整されたグレイスケール値を示す単純化されたカラーの図である。この図は、単に例であり、請求の範囲を不正に制限するものではない。当業者は、多数の変形形態、代替形態、修正形態を理解するであろう。
【００３２】
処理１６０で、プロセス・パラメータを調整して、プロセス性能を改善する。たとえば、処理１５０で判定されたプロセス均一性が所定の許容範囲を超える。それに応答して、プロセス・パラメータを調整して、そのような不均一性を減らす。もう１つの例では、プロセス・エンジニアが、処理されたフィーチャの寸法、トポグラフィおよび／または内容の代理としてグレイスケール値を使用し、満足であることが検証された処理されたフィーチャの対応するグレイスケール値と比較する。比較によって許容不能な差が指摘される場合に、プロセス・パラメータを調整して、フィーチャの特性を改善する。
【００３３】
上で延べ、ここでさらに強調するように、図１から６（４（ａ）、５（ａ）、６（ａ）を含む）は、単に例であり、請求の範囲を不正に制限するものではない。当業者は、多数の変形形態、代替形態、修正形態を理解するであろう。たとえば、処理１３０と１５０がスキップされ、プロセス均一性が、処理１４０で入手されたグレイスケール値に基づいて判定される。一実施形態で、背景グレイスケール値が、所定の条件の組の下で経時的に安定することが確認された後に、図３に示されたウェハ・マップが、許容可能なプロセス均一性を示すヒストリカル・データと比較される。ウェハ・マップが、ヒストリカル・データほど均一でない場合に、そのプロセスは、プロセス均一性を高めるために調整または微調整を必要とする可能性がある。もう１つの例で、処理１１０で選択されるサンプル領域が、処理１１０の前、または処理１１０の後だが処理１２０の前に、製造ステップによって処理される。この製造ステップの均一性は、方法１００による検査の対象である。もう１つの例では、調整されたグレイスケール値が、サンプル領域が処理された後に、条件の特定の組を用いて較正される。一実施形態で、エッチングングの後に、コンタクト・ホールが、エッチングング不足を示す較正されたグレイスケール値を示す。プロセス・エンジニアは、較正された相関に基づいて、丁度よいエッチングングまたはわずかに過剰なエッチングングを達成するために、プロセス・パラメータを調整することができる。さらに、方法１００のパラメータ修正および他の処理を、満足な均一性および／または他の処理目標が達成されるまで繰り返して実行することができる。
【００３４】
もう１つの実施形態で、方法１００が、処理１２０で、Ｈｅｒｍｅｓ  Ｍｉｃｒｏｖｉｓｉｏｎ，Ｉｎｃ．社によって製造されるものなど、電子ビーム検査システム以外の測定および／または検査システムを用いて画像を取り込む。たとえば、使用されるシステムを、ＣＤ−ＳＥＭ、デフェクト・レビューＳＥＭ、デフェクト・インスぺクションＳＥＭ、または金属厚さ測定システムとすることができる。
【００３５】
もう１つの実施形態で、プロセスゆらぎを監視するために、様々なタイプのグレイスケール値を、異なる統計的方法を用いて分析することができる。グレイスケール値のタイプに、背景のグレイスケール値、処理されたフィーチャのグレイスケール値、調整されたグレイスケール値が含まれる。複数のタイプの統計的分析を使用することができる。たとえば、ウェハ内で測定されたすべてのデータ点の標準偏差をすべてのデータ点の平均値で割り、パーセンテージとして表すことによって均一性を測定することができる。もう１つの例として、均一性を、決められた位置の数に対する検出された欠陥の数の比と定義することができる。１つまたは複数の統計的尺度に基づいて、プロセスをインラインで観察する時に、前進するか否か、あるいは「ゴー」または「ノーゴー」を判断することができる。もう１つの実施形態で、満足に処理されたフィーチャと異なる種類の欠陥を、オートマティック・デフェクト・クラシフィケーション（automatic defect classification：ＡＤＣ）トレーニングに基づいて識別することができる。ＡＤＣには、寸法および／または寸法の比などの定量化可能な特性に基づいて欠陥またはフィーチャを識別するための機械学習アルゴリズムの使用が含まれる。
【００３６】
もう１つの実施形態で、方法１００は、サンプル領域を選択し、サンプル領域の画像を分析し、ウェハ全体に渡るプロセス均一性を判定することによるサンプリング技法を使用する。各サンプル領域に、１つの連続する領域または複数の別々のサブ領域が含まれる。ダイごとに、サンプリングされる区域が、通常は、ダイ全体の面積のあるパーセンテージである。このパーセンテージは、１％未満から９９％超の範囲に渡ることができる。たとえば、パーセンテージが０．０００１％から１００％の範囲に渡る。
【００３７】
図７は、本発明の実施形態による、ウェハのサンプリングの単純化された図である。この図は、単に例であり、請求の範囲を不正に制限するものではない。当業者は、多数の変形形態、代替形態、修正形態を理解するであろう。図７からわかるように、ダイ６１０内でサンプリングされる区域６１２はダイ全体の面積の１０％未満であり、ダイ６１０は、ウェハ６３０に配置される。
【００３８】
もう１つの実施形態では、解像度、カバレッジ、スループットの間のトレードオフを十分考慮した後に、ダイ内のできる限り多数の類似する位置で統計的分析を実行する。各位置は、サンプル領域またはサンプル領域のサブ領域として使用される。方法１００で使用されるサンプリング技法では、各ダイの区域あるいは複数の隣接する区域または複数の隣接しない区域の走査が用いられ、その結果、データは、ウェハ・レベルまたは部分ウェハ・レベルでプロセス異常のシグネチャを識別するのに十分になる。もう１つの例として、異常またはその異常を生じる物理イベントの傾向が悪化するのを測定するために、プロセス異常のシグネチャを時間に関して追跡することができる。
【００３９】
方法１００によってその均一性を調査することができる様々なタイプの処理されたフィーチャがある。一実施形態で、方法１００が、グレイスケール値が背景のグレイスケール値と実質的に異なる処理されたフィーチャの検査に使用される。たとえば、処理されたフィーチャのグレイスケール値が、背景の平均グレイスケール値と背景のグレイスケール値の標準偏差の合計より大きいか、背景の平均グレイスケール値から背景のグレイスケール値の標準偏差を引いた値より小さい。もう１つの例で、処理されたフィーチャに、充てんされないコンタクト・ホールおよび／またはバイア・ホールが含まれる。たとえば、コンタクト・ホールおよび／またはバイア・ホールが、別の層の上に配置される誘電層へのエッチングングによって形成される。一実施形態で、別の層が導電性である。処理１１０で、サンプル領域が、問題のコンタクト・ホールおよび／またはバイア・ホールを含むように選択される。異なるサンプル領域を、同一ダイ内、同一ウェハの異なるダイ内および／または異なるウェハ上に配置することができる。処理１２０で、サンプル領域のＳＥＭ画像が、選択されたランディング・エネルギーをもちいて入手される。選択されたランディング・エネルギーで、セカンダリ・チャージド・パーティクル(secondary charged particle)のある特性が、処理されたコンタクト・ホールおよび／またはバイア・ホールのエッチングング不足に敏感である。例として、実質的に２５０ｅＶ以上の正しく最適化されたランディング・エネルギーが、調整されたグレイ・スケール値とコンタクト・ホールおよび／またはバイア・ホールのエッチングング均一性の間の強い相関をもたらすことができることが、本発明によって発見された。
【００４０】
処理１３０で、背景グレイスケール値が走査されたＳＥＭ画像に基づいて判定される。これらの画像は、２つの測定可能なグレイスケール特性すなわち、エッチングングされたコンタクト・ホールおよび／またはバイア・ホールの特性および周囲の背景の特性を提供することができる。追加の背景グレイスケール値を補間を介して得ることができる。処理１４０で、エッチングングされたコンタクト・ホールおよび／またはバイア・ホールのグレイスケール値が、走査されたＳＥＭ画像に基づいて判定される。上で述べたように、これらの画像は、２つの測定可能なグレイスケール特性すなわち、エッチングングされたコンタクト・ホールおよび／またはバイア・ホールの特性と周囲の背景の特性を提供することができる。処理されたフィーチャの追加の背景グレイスケール値を、補間を介して得ることができる。
【００４１】
処理１５０で、調整されたグレイスケール値に基づいてプロセス均一性が判定される。調整されたグレイスケール値は、背景のグレイスケール値とエッチングングされたコンタクト・ホールおよび／またはバイア・ホールのグレイスケール値の間の差と等しい。処理されたフィーチャの調整されたグレイスケール値は、均一である場合とそうでない場合がある。調整されたグレイスケール値の変動はプロセス変動を表す。たとえば、２つのコンタクト・ホールの両方がエッチングング不足であり、同一の厚さの誘電体がコンタクト・ホールに残っている。これらのコンタクト・ホールは、実質的に同一の調整されたグレイスケール値を有する。もう１つの例として、比較されるフィーチャが同一の製造プロセスを受けたコンタクト・ホールである。これらのコンタクト・ホールは、同一の断面を有する場合と異なる断面積を有する場合がある。もう１つの例で、各サンプル領域に、異なる密度のコンタクト・ホールおよび／または異なる寸法のコンタクト・ホールが含まれる。
【００４２】
もう１つの実施形態で、コンタクト・ホールおよび／またはバイア・ホールが製造された後に、調整されたグレイスケール値が特定の組の条件について較正される。たとえば、そのような較正は、コンタクト・ホールおよび／またはバイア・ホールの断面積をとり、対応するエッチングング不足に関連する誘電体厚さを測定することによって達成される。その後、誘電体厚さを、調整されたグレイスケール値の特定の値または特定の範囲に相関させることができる。
【００４３】
処理１６０で、調整されたグレイスケール値の不均一性が所定の許容範囲を超える場合に、プロセス・パラメータが調整される。一実施形態で、図６からわかるように、調整されたグレイスケール値が、ウェハ２００のエッチングング均一性または変動を明瞭に示す等高線図として視覚化される。ウェハ２００の中央でのエッチングング・レートは、他の位置とかなり異なる。この等高線図からの発見に基づいて、エッチング・ツールのあるパラメータをすばやく調整または微調整して、ウェハ２００で観察された不均一なエッチングング問題または他の異常を矯正することができる。
【００４４】
もう１つの実施形態で、方法１００が、充てんされたコンタクト・ホールおよび／またはバイア・ホールの検査に使用される。たとえば、コンタクト・ホールおよび／またはバイア・ホールは、導電層の上に配置された誘電層にエッチングングすることによって形成される。コンタクト・ホールおよび／またはバイア・ホールは、銅および／またはタングステンなどの導電材料を充てんされ、その後、化学機械研磨（ＣＭＰ）によって平坦化される。これらの充てんされたホールについて、少なくとも２つのタイプの検出できる問題がある。問題の一方のタイプは、穴自体に関連し、バイア底部に残った誘電材料が含まれる。問題の他方のタイプは、充てん材料に関連し、各ダマシーン・レベルで研磨された表面の部分的に囲まれたボイドまたは望ましくない特性が含まれる。たとえば、銅電気化学めっき法（ＥＣＰ）の後に、トレンチ内に、ボイドを生じる可能性がある望ましくない充てん材料がある場合がある。もう１つの例として、ＣＭＰプロセスの不均一性が、表面のピット形成および／またはボイド形成をもたらす場合がある。もう１つの例として、ＣＭＰプロセスの後に、残渣材料が残される可能性がある。もう１つの例として、金属線の間の銅マイクロ・ブリッジングが存在する。
【００４５】
方法１００を使用して、両方のタイプの問題を検出でき、検査の前に実行されたプロセスの不均一性を監視することができる。検査の対象である処理されたフィーチャに、充てんされたコンタクト・ホールおよび／またはバイア・ホールならびに／もしくは金属線の部分が含まれる。調整されたグレイスケール値を使用して、プロセスの均一性を判定し、プロセス・パラメータを最適化することができる。
【００４６】
もう１つの実施形態で、方法１００を使用して、ポリシリコンの堆積とゲート・エッチングングの後に、処理されたフィーチャとしてのトランジスタのゲートを検査する。たとえば、トランジスタ・ゲートと相互接続以外の領域に望ましくないポリシリコンが残される場合がある。ポリ・ピラーなどの欠陥が、プロセス不均一性をもたらす可能性があり、これは、方法１００によって検出することができる。もう１つの実施形態で、方法１００が、接合漏れ電流とゲート短絡の検査に使用される。絶縁物としてのゲート酸化物の存在によって、通常は、ポリ・ゲートが「浮遊」電気状態のままにされる。基板に短絡したゲートは、不均一性を生成する可能性があり、これを方法１００によって検出することができる。それに応答して、漏れのあるゲート酸化物を識別し、矯正することができる。もう１つの実施形態で、エッチングング後またはタングステン充てんとＣＭＰの後のセルフアライン・コンタクトの検査によって、ある製造プロセスに関連する問題を明らかにすることができる。
【００４７】
本発明のもう１つの実施形態で、処理されたフィーチャが、その代表性または独自性のいずれかに基づいて選択される。たとえば、コンタクト・エッチングに関して、フィーチャ選択の１つのタイプが、頻繁に発生するコンタクト寸法と周囲を有するコンタクトである。このフィーチャは、その代表性に基づいて選択される。もう１つの例で、独自のフィーチャが、障害点であったので選択される。
【００４８】
上で述べたように、半導体処理の変動は、異なるロットの間、１ロット内のウェハの間、ウェハ内のダイの間および／またはダイ内の領域の間で発生する可能性がある。本発明のある実施形態を、サンプル領域のイメージングと分析によってそのようなプロセス変動を識別するのに使用することができる。これらのサンプル領域は正しく選択されなければならない。たとえば、ある位置でのあるパラメータの突然の減少または増加がある場合に、そのような変化を明瞭に反映させるために、それらの位置を選択しなければならない。例として、突然の減少または増加が、ウェハ・エッジまたはその付近で発生する場合がある。もう１つの実施形態で、パターニング変更とマイクロローディングなどの影響に起因するダイ内変動を検査するために、１つのダイから複数のサンプル領域が選択される。
【００４９】
もう１つの実施形態で、方法１００が、プロセス均一性を測定し、簡単に理解できるフォーマットで表す半導体ウェハ・インライン・モニタリングに使用される。たとえば、プロセス変動を検出する方法の１つが、対応するダイ内の選択されたサンプル領域内の重要な処理されたフィーチャを検査することによるものである。もう１つの例として、処理されたフィーチャのグレイスケール値と背景のグレイスケール値が判定される。
【００５０】
もう１つの例で、方法１００が、コンタクト・ホールを作るために適用されるエッチング・プロセスのインライン・プロセス・モニタリングに使用される。たとえば、デュアル・ダマシーン方式とサブトラクティブ・エッチング方式のエッチングングでは、コンタクト・レベルのエッチングングとタングステンによるエッチングングされたホールの充てんが用いられる。そのようなエッチングング中に、複数の問題が生じる可能性がある。遭遇し得る様々な問題の一部に、エッチングング不足に起因して高アスペクト比コンタクト・ホールの底部に残された残りの誘電体、ホールの底部に残されたエッチング残渣、エッチングング過剰が含まれる。もう１つの例として、方法１００で、ウェハ・ダイ内の１つまたは複数の位置に自動的にまたは手動で達するために、その１つまたは複数の位置を含むサンプル領域を選択し、位置情報をレシピに組み込む。もう１つの例で、重要な処理されたフィーチャが、高い頻度で欠陥を要するもの、または意図的に設計されたフィーチャである。
【００５１】
一実施形態で、方法１００に、イメージング用の電子顕微鏡のセットアップと、その後の画像の収集が含まれる。重要な処理されたフィーチャの画像は、ウエハ全体にわたって入手され、ウェハの２次元図内のダイの位置に貼り付けられる。定量的な表現のために、コンタクト・ホールなどの処理されたフィーチャのグレイスケール値と周囲の背景のグレイスケール値も、各サンプル領域でとられる。これらのグレイスケール・データを使用して、背景等高線図、フィーチャ等高線図、差等高線図のすべてが計算され、たとえば図４、５、６に示されているように示される。これらの２次元等高線図は、背景の均一性と選択されたフィーチャでのプロセス・パフォーマンスの理解を容易にするためにプロットされる。
【００５２】
もう１つの実施形態で、方法１００が、充てんされたコンタクト・ホール、バイア・ホール、トレンチの分析に使用される。もう１つの実施形態で、方法１００の処理されたフィーチャに、導電層の堆積とエッチングングから生じるゲート構造が含まれる。たとえば、プロセス不均一性が、ゲート漏れ電流、表面に残された小さいポリ粒子などのポリ・ピラー、ポリ・ピッティングから生じる可能性があり、これらのすべてが、ポリ堆積とエッチングングの単位操作の責任を負うツールでの問題によって引き起こされる。もう１つの実施形態では、方法１００が、エッチングングの後またはタングステン充てんとＣＭＰの後の、セルフアライン・コンタクトの検査に使用される。
【００５３】
もう１つの実施形態で、この半導体ウェハの測定と検査方法によって、プロセス均一性を効率的に測定し、描写することができる。たとえば、方法１００で、問題のダイのそれぞれのグレイスケール・データを収集し、全体的なプロセス均一性の機能強化された視覚化のために全体的なデータをマッピングする。もう１つの例として、方法１００で、高解像度ＳＥＭを使用して、１つまたは複数の選択された位置で各ダイを走査する。ＳＥＭ画像ごとに、処理されたフィーチャのグレイスケール値または調整されたグレイスケール値が計算され、均一性のフィーチャを表すのに使用される。これらのグレイスケール値と背景のグレイスケール・レベルが、全体的なエッチングング均一性または変動をよりよく視覚化するために、２次元または３次元の等高線図で表される。もう１つの例で、１つのダイの複数の領域がイメージングされる。これらの複数の領域を、１つまたは複数のサンプル領域として使用することができる。
【００５４】
本発明のもう１つの実施形態で、半導体ウェハ検査に関する、方法１００などの、インラインおよびオフラインのプロセス・モニタリング方法が提供される。この方法は、複数のダイに対する単位プロセス操作が完了した後に、電子ビーム照射を使用することによって実行される。各ダイ内の処理されたフィーチャの位置が、ユーザによって選択され、背景に、処理されたフィーチャを囲むが処理されたフィーチャと明確に異なる領域が含まれる。各ダイのフィーチャ位置が、走査され、フィーチャと背景のグレイスケール画像が、各位置に対応して保管される。一実施形態で、各サンプル領域に、１つまたは複数の処理されたフィーチャが含まれる。たとえば、重要な処理されたフィーチャが、名目上同等にプロセス設計に基づく。もう１つの例として、各サンプル領域に、複数の処理されたフィーチャが含まれる。サンプル領域のグレイスケール値は、すべてのフィーチャのグレイスケール値の合計をサンプル領域内の処理されたフィーチャの数で割ることによって計算される平均値である。
【００５５】
もう１つの例で、等高線プロットを計算し、２次元で表示することによって画像データが処理される。等高線プロットによって、それぞれ処理されたフィーチャのグレイスケール値、背景のグレイスケール値、調整されたグレイスケール値に対するダイの位置が示される。もう１つの例では、画像データが、等高線プロットを計算し、３次元で表示することによって処理される。等高線プロットによって、それぞれ処理されたフィーチャのグレイスケール値、背景のグレイスケール値、調整されたグレイスケール値に対するダイの位置が示される。２次元は、ウェハ上の（ｘ，ｙ）または（ｒ，θ）などのダイの位置であり、他の次元は、グレイスケールである。注釈に、フィーチャ寸法の表現が含まれ、ウェハは円として表される。
【００５６】
もう１つの例で、画像データが、背景のグレイスケール値の平均値と標準偏差、処理されたフィーチャのグレイスケール値の平均値と標準偏差、さらに調整されたグレイスケール値の平均値と標準偏差の計算に基づく統計的プロセス均一性を計算することによって要約される。一実施形態で、プロセス均一性が、平均値に対する標準偏差の比として測定され、パーセンテージとして表される。もう１つの例で、取り込まれた画像が、円としてウェハの２次元表現に自動的に貼り付けられ、その結果、見る人が、ダイ位置に貼り付けられた画像を見ることによって、プロセス均一性の視覚的表示を得ることができる。
【００５７】
この方法を使用して、集積回路製造の様々なプロセスの均一性を検査することができる。たとえば、この方法は、バイア・ホールまたはコンタクト・ホールのエッチングング・プロセスの均一性を検査するのに使用される。エッチングング・プロセスが完了した後に、１つまたは複数の充てんされていないコンタクト・ホール、バイア、またはトレンチを含むサンプル領域の画像が取り込まれる。１つの例で、バイアは、コンタクト・ホールを指す。もう１つの例で、バイアは、狭トレンチ分離に使用されるトレンチをも指す。もう１つの例で、この方法が、金属充てんと研磨プロセスの均一性を検査するのに使用される。コンタクト・ホールも充てんする金属層の化学機械研磨の後に、サンプル領域の画像が取り込まれ、これに、１つまたは複数の充てんされたコンタクト・ホール、バイア、またはトレンチを含めることができる。金属層に、銅および／またはタングステンを含めることができる。もう１つの例で、この方法が、ポリ・エッチングング・プロセスの均一性の検査に使用される。エッチングング・プロセスが完了した後に、ポリシリコン・エッチングングから生じる１つまたは複数のポリシリコン・ゲートを含むサンプル領域の画像が取り込まれる。もう１つの例で、この方法が、セルフアライン・コンタクト製造プロセスの均一性の検査に使用される。セルフアライン製造プロセスが完了した後に、タングステンＣＭＰの後の、タングステン充てんの前後の１つまたは複数のセルフアライン・コンタクトを含むサンプル領域の画像が取り込まれる。
【００５８】
本発明のもう１つの実施形態で、方法１００などのインラインおよびオフラインのプロセス・モニタリング方法で、ウェハ全体に関するサンプリング技法が使用される。この方法は、複数のダイに対する単位プロセス操作の後に、電子ビーム照射を使用して実行される。各ダイ内の処理されたフィーチャの位置が、ユーザによって選択され、背景に、処理されたフィーチャを囲むが処理されたフィーチャと明確に異なる領域が含まれる。各ダイのフィーチャ位置が、走査され、フィーチャと背景のグレイスケール画像が各位置に対応して保管される。一実施形態で、各サンプル領域に、それぞれが１つまたは複数の処理されたフィーチャを含む１つまたは複数の別々のサブ領域が含まれる。もう１つの実施形態で、特定のダイ内のサンプリングされる区域が、ダイ全体の面積のあるパーセンテージであり、このパーセンテージは、１％未満から１００％までの範囲とすることができる。たとえば、パーセンテージが、０．０００１％から１００％の範囲に渡る。
【００５９】
もう１つの実施形態で、方法１００などの方法で、トポグラフィ、次元、または内容などのある種のフィーチャ特性を用いて、調整されたグレイスケール値を較正し、フィーチャ特性と調整されたグレイスケール値の間の定量的対応を確立する。たとえば、この方法を使用して、ウェハ内またはダイ内のプロセス変動を検査することができる。もう１つの例として、この方法を使用して、所望のフィーチャ特性が達成されるまでプロセス・パラメータを繰り返して最適化する。
【００６０】
もう１つの実施形態によれば、プロセス均一性を判定するシステムに、それぞれ複数のサンプル領域に関連する複数の電子顕微鏡画像を得るように構成された電子顕微鏡システムが含まれる。複数のサンプル領域に、複数の処理されたフィーチャが含まれ、複数のサンプル領域のそれぞれに、複数の処理されたフィーチャの少なくとも１つが含まれる。複数の処理されたフィーチャのそれぞれは、少なくとも１つの製造プロセスから生じる。さらに、このシステムに、複数の電子顕微鏡画像に関連する情報を処理し、複数の電子顕微鏡画像に関連する情報に少なくとも基づいて複数のサンプル領域の第１の複数のグレイスケール値を判定するように構成された処理システムが含まれる。第１の複数のグレイスケール値のそれぞれは、複数の処理されたフィーチャの少なくとも１つに関連する。さらに、この処理システムは、さらに、第１の複数のグレイスケール値に関連する情報を処理し、第１の複数のグレイスケール値に関連する情報に少なくとも基づいて少なくとも１つの製造プロセスが均一であるかどうかを判定するように構成される。一実施形態で、処理システムに、ソフトウェアおよび／またはハードウェアが含まれる。もう１つの実施形態で、このシステムが方法１００を実施するのに使用される。
【００６１】
もう１つの実施形態によれば、プロセス均一性を判定するシステムに、それぞれ複数のサンプル領域に関連する複数の電子顕微鏡画像を得るように構成された電子顕微鏡システムが含まれる。複数のサンプル領域に、複数の処理されたフィーチャが含まれ、複数のサンプル領域のそれぞれに、複数の処理されたフィーチャの少なくとも１つが含まれる。複数の処理されたフィーチャのそれぞれは、少なくとも１つの製造プロセスから生じる。このシステムに、複数の電子顕微鏡画像に関連する情報を処理し、複数の電子顕微鏡画像に関連する情報に少なくとも基づいて複数のサンプル領域の第１の複数のグレイスケール値を判定するように構成された処理システムが含まれる。第１の複数のグレイスケール値のそれぞれは複数の処理されたフィーチャの少なくとも１つに関連する。その上、この処理システムは、第１の複数のグレイスケール値に関連する情報に少なくとも基づく第１等高線図を生成し、第１等高線図に関連する情報を処理し、第１等高線図に関連する情報に少なくとも基づいて少なくとも１つの製造プロセスが均一であるかどうかを判定するようにさらに構成される。一実施形態で、処理システムに、ソフトウェアおよび／またはハードウェアが含まれる。もう１つの実施形態で、このシステムが、方法１００を実施するのに使用される。
【００６２】
本発明は、普通の技法に対する様々な長所を有する。本発明のある実施形態は、ダイ内、ウェハ内、１ロット内のウェハ間および／またはロット間の特定のプロセスの均一性また変動などのプロセス条件を正確に監視し、視覚化する半導体ウェハ測定検査技法を提供する。本発明のある実施形態は、背景の平均グレイスケール値、処理されたフィーチャの平均グレイスケール値、調整されたグレイスケール値を表す等高線図を提供する。これらの２次元等高線図は、ウェハ全体および／またはウェハ間の全体的なプロセス条件の信頼性のあるインジケータとして働くことができる。本発明のある実施形態は、サンプル領域画像のほかに処理されたフィーチャと背景のグレイスケール値を使用するすばやい視覚的表現を提供する。たとえば、視覚的表現が、等高線プロットの形をとり、ウェハ・レベル変動を明瞭に示す。本発明のある実施形態は、ダイ内のサンプル領域を使用して、ダイ内のプロセス均一性を判定し、あるいは、ウェハ内の指定されたサンプル領域を使用して、ウェハ内のプロセス均一性を判定する。本発明のある実施形態では、プロセス・エンジニアが、統計的に量的な測定値によってサポートされる、ウェハ全体のプロセス性能のすばやい概要を得ることができる。たとえば、大量のデータが、電子ビーム検査によって生成される可能性があり、これが、処理するのに非常に大量であり、その意味を理解することが困難になる場合がある。簡潔な形でのデータのすばやい視覚化と比較分析によって、適切なプロセス訂正をタイムリーな形で行えるようになる。もう１つの例として、測定中に明らかになる可能性がある、ある手がかりに基づいて、高コストの暴走が発生する前に、できる限り早くプロセス機器寿命の問題と限度を識別することが重要である。本発明のある実施形態は、欠陥のシグネチャ・マップを提供するためにウェハ表面積の分数が検査される、ウェハ表面のサンプリングを可能にする方法を提供する。
【００６３】
本発明のある実施形態は、プロセス均一性のインライン検査を提供し、特定のプロセス・ステップまたは単位プロセス操作への問題の便利な分離を可能にする。本発明のある実施形態は、２００ｍｍウェハのダイの数の２．５倍を有する３００ｍｍウェハの効率的な検査方法を提供する。本発明のある実施形態は、銅ＣＭＰの完了後のウェハ内変動を検出する方法を提供する。たとえば、ウェハのある領域でのＣＭＰの後に残される残渣がある場合がある。もう１つの例として、コンタクト・ホールまたはバイア・ホールの充てんプロセスが、不正に実行され、その結果、表面または内部のボイド形成が存在する可能性がある。ボイド形成は、たとえば、可能な原因に関して、ＣＭＰパッドの加齢から、研磨中に行われる動きに関する問題から、または不適切な終点検出アルゴリズムの使用から生ずる可能性がある。本発明のある実施形態は、スループット、サンプリング・カバレッジ、解像度の間の望ましいバランスを提供する。たとえば、カバレッジは、ダイ全体の面積に対する１つのダイ内でサンプリングされる面積の比率に伴って増加する。しかし、高解像度での高い比率のサンプリングは、所与の時間期間中に検査されるウェハの数によって測定されるものなどのスループットを低下させる可能性がある。本発明のある実施形態は、３００ｍｍウェハでの０．１３μｍ以下の設計ノードの０．１μｍ未満の画素サイズでの効率的なサンプリング技法を提供する。
【００６４】
本発明の特定の実施形態を説明したが、当業者は、説明された実施形態と同等の他の実施形態があることを理解するであろう。したがって、本発明が、示された特定の実施形態によって制限されるのではなく、請求項の範囲のみによって制限されることを理解されたい。
【図面の簡単な説明】
【００６５】
【図１】本発明の実施形態による、ＩＣプロセス均一性を監視する単純化された方法を示す図である。
【図２】本発明の実施形態による、選択されたサンプル領域を示す単純化された図である。
【図３】本発明の実施形態による、ＳＥＭ画像の単純化された図である。
【図４】本発明の実施形態による、背景グレイスケール値を示す単純化された図である。
【図４ａ】本発明の一実施形態による、背景グレイスケール値を示す単純化されたカラーの図である。
【図５】本発明の実施形態による、処理されたフィーチャのグレイスケール値を示す単純化された図である。
【図５ａ】本発明の実施形態による、処理されたフィーチャのグレイスケール値を示す単純化されたカラーの図である。
【図６】本発明の実施形態による、処理されたフィーチャの調整されたグレイスケール値を示す単純化された図である。
【図６ａ】本発明のもう１つの実施形態による、処理されたフィーチャの調整されたグレイスケール値を示す単純化されたカラーの図である。
【図７】本発明の実施形態による、ウェハのサンプリングの単純化された図である。
【符号の説明】
【００６６】
１００  方法、２００  ウェハ、２１０  ダイ、２１２  サンプル領域、２２２  サンプル領域、６１０  ダイ、６１２  区域、６３０  ウェハ
【図１】
2005150727.tif 000003
【図２】
2005150727.tif 000004
【図３】
2005150727.tif 000005
【図４】
2005150727.tif 000006
【図４ａ】
2005150727.tif 000007
【図５】
2005150727.tif 000008
【図５ａ】
2005150727.tif 000009
【図６】
2005150727.tif 000010
【図６ａ】
2005150727.tif 000011
【図７】
2005150727.tif 000012